(57)【要約】【課題】駆動機構への負荷を低減できる。【解決手段】紙幣処理装置の収納庫１６では、キックローラ２３によって押圧手段により主面が押圧された紙幣ＢＮａが、回転して所定の搬送方向に搬送され、キックローラ２３の配置位置から搬送方向に離間して配置された捲りローラ２４によって、キックローラ２３により紙幣ＢＮａが搬送されている状態で、キックローラ２３の回転に対して逆回転して紙幣ＢＮａが跳ね上げられて１枚に分離され、さらに、１枚に分離された紙幣ＢＮａが、主面の反対側の裏面が摩擦されて搬送される。【選択図】図４
2010100410.tif 000002
【特許請求の範囲】
【請求項１】
紙幣の搬入及び搬出を行う紙幣処理装置において、
前記紙幣が収納される収納部と、
前記収納部内に収納された前記紙幣を前記紙幣の主面に対して垂直方向に移動させる押圧手段と、
前記押圧手段に対して、収納された前記紙幣の反対側に配置され、移動した前記押圧手段により前記主面が押圧された前記紙幣を、回転して所定の搬送方向に搬送する第１ローラと、
前記第１ローラの配置位置から前記搬送方向に離間して配置され、前記第１ローラにより前記紙幣が搬送されている状態で、前記第１ローラの回転に対して逆回転して前記紙幣を跳ね上げて１枚に分離して、さらに、１枚に分離された前記紙幣を、前記主面の反対側の裏面を摩擦して搬送する第２ローラと、
を有することを特徴とする紙幣処理装置。
【請求項２】
前記収納部の前記搬送方向側に連通して配置され、紙幣が搬送される搬送路と、
前記搬送路に配置されて、前記搬送路から別の紙幣を搬送し、前記第２ローラの前記収納部側の近傍を通過させ、前記収納部に収納させる搬送手段と、
をさらに有することを特徴とする請求項１記載の紙幣処理装置。
【請求項３】
前記押圧手段の移動により、収納された前記紙幣が前記第１ローラから退避していることを特徴とする請求項２記載の紙幣処理装置。
【請求項４】
前記収納部に対して前記第２ローラの反対側に配置され、前記第２ローラより搬送された、１枚に分離された前記紙幣を、前記搬送路にガイドするガイド部材を有することを特徴とする請求項２記載の紙幣処理装置。
【請求項５】
前記第２ローラは前記紙幣の前記搬送方向の先端部を跳ね上げることを特徴とする請求項１記載の紙幣処理装置。
【請求項６】
前記第１ローラの外周に高摩擦部材が配置されていることを特徴とする請求項１記載の紙幣処理装置。
【請求項７】
前記第２ローラの外周の一部に高摩擦部材が配置されていることを特徴とする請求項１記載の紙幣処理装置。
【請求項８】
前記第２ローラの外周に高摩擦部材が配置され、当該第２ローラは間欠回転することを特徴とする請求項１記載の紙幣処理装置。
【請求項９】
紙幣の入金及び出金を行う紙幣処理装置を備えた金銭処理機において、
前記紙幣が収納される収納部と、
前記収納部内に収納された前記紙幣を前記紙幣の主面に対して垂直方向に移動させる押圧手段と、
前記押圧手段に対して、収納された前記紙幣の反対側に配置され、移動した前記押圧手段により前記主面が押圧された前記紙幣を、回転して所定の搬送方向に搬送する第１ローラと、
前記第１ローラの配置位置から前記搬送方向に離間して配置され、前記第１ローラにより前記紙幣が搬送されている状態で、前記第１ローラの回転に対して逆回転して前記紙幣を跳ね上げて１枚に分離して、さらに、１枚に分離された前記紙幣を、前記主面の反対側の裏面を摩擦して搬送する第２ローラと、
を有する紙幣処理装置を備えたことを特徴とする金銭処理機。
【発明の詳細な説明】
【技術分野】
【０００１】
本発明は紙幣処理装置及び金銭処理機に関し、特に、紙幣の搬入及び搬出を行う紙幣処理装置、及びこの紙幣処理装置を備える金銭処理機に関する。
【背景技術】
【０００２】
上位機種と接続されて、入金された紙幣を内部に収納し、上位機種の指令に応じて紙幣の出金を行う紙幣処理装置及び硬貨の入出金を行う硬貨処理装置を備える金銭処理機がスーパーマーケット等に配置されている（例えば、特許文献１参照）。
【０００３】
金銭処理機に用いられる紙幣処理装置は、例えば次のような構成である。
図８は紙幣処理装置の概念図である。
紙幣処理装置１００は、紙幣が投入される入金口１１０、釣銭紙幣等が払い出される出金口１２０、入出金時に紙幣が搬送される搬送路１３０を備えている。搬送路１３０には、投入された紙幣の真偽を鑑別する鑑別部１４０、鑑別部１４０にて真と鑑別された紙幣の金種を判定する金種判別部１５０が配置されている。さらに、金種判別部１５０で判別された紙幣を金種毎に収納して保管する収納庫１６０、収納された紙幣の金種と枚数とを確認するための精査庫１７０がそれぞれ配置されている。
【０００４】
このような紙幣処理装置１００の紙幣の入金処理では、入金口１１０から投入された紙幣は、搬送路１３０を搬送されて、鑑別部１４０でその真偽が鑑別される。偽札である場合には、投入された紙幣はそのまま出金口１２０から払い出される。真札である場合には、投入された紙幣は搬送路１３０をさらに搬送されて、金種判別部１５０で紙幣の金種が、例えば千円札や一万円札等と判別される。判別された紙幣は金種に応じて所定の収納庫１６０に搬送されて収納される。
【０００５】
一方、紙幣の釣銭の払い戻しの場合には、上位機種からの指令に応じて、所定の金種の紙幣が収納庫１６０から搬出されて、搬送路１３０を搬送されて出金口１２０から払い出される。
【０００６】
次に、上記紙幣処理装置１００で紙幣の収納及び搬出が行われる収納庫１６０の詳細について説明する。
図９は、非動作時の収納庫を説明するための側面図である。
【０００７】
収納庫１６０は、側板２００ａ及び第１，第２搬送ガイド２００ｂ，２００ｃで囲まれて、搬送路１３０が連通して接続された収納部２００を備える。
収納部２００には内部にステージ２１０、及び第１搬送ガイド２００ｂには押え部材２８０がそれぞれ配置されている。さらに、第１搬送ガイド２００ｂには、補助キックローラ２３０、キックローラ２４０、搬送ローラ２５０及び引き抜きローラ２７０が配置され、第２搬送ガイド２００ｃには阻止ローラ２６０及び従動ローラ２９０が配置されている。
【０００８】
ステージ２１０は紙幣ＢＮが載置されて、第１搬送ガイド２００ｂに対して退避及び接近する。
押え部材２８０は第１搬送ガイド２００ｂに揺動自在に配置されて、ステージ２１０に対して退避及び接近して、ステージ２１０に載置された紙幣ＢＮの上面を押える。
【０００９】
キックローラ２４０は、第１搬送ガイド２００ｂに軸２４０ａで軸支されて、外周面の一部を収納部２００側に露出して、紙幣の搬送方向に応じて時計回り及び反時計回り方向に回転する。また、キックローラ２４０の外周面の一部に高摩擦部材２４０ｂが配置されている。
【００１０】
補助キックローラ２３０は、キックローラ２４０の配置位置から紙幣の収納部２００側の搬送方向に離間して配置されている。また、キックローラ２４０と同様に、第１搬送ガイド２００ｂに軸２３０ａで軸支されて、外周面の一部を収納部２００側に露出して、紙幣の搬送方向に応じて時計回り及び反時計回り方向に回転する。また、補助キックローラ２３０の外周面の一部に高摩擦部材２３０ｂが配置されている。
【００１１】
搬送ローラ２５０は、第１搬送ガイド２００ｂに軸２５０ａで軸支されて、外周面の一部を搬送路１３０側に露出して、紙幣の搬送方向に応じて時計回り及び反時計回り方向に回転する。また、搬送ローラ２５０の外周面の一部に高摩擦部材２５０ｂが配置されている。
【００１２】
阻止ローラ２６０は、外周面の一部を搬送路１３０側に露出して、搬送ローラ２５０に周接、かつ対向配置して第２搬送ガイド２００ｃに軸２６０ａで軸支されている。なお、阻止ローラ２６０は紙幣の搬送路１３０側への搬出時には回転せずに、紙幣の搬入時には反時計回り方向に回転する。
【００１３】
引き抜きローラ２７０は、第１搬送ガイド２００ｂに軸２７０ａで軸支されて、外周面の一部を搬送路１３０側に露出して、紙幣の搬送方向に応じて時計回り及び反時計回り方向にそれぞれ回転する。
【００１４】
従動ローラ２９０は、外周面の一部を搬送路１３０側に露出して、引き抜きローラ２７０の外周面に周接、かつ対向配置して第２搬送ガイド２００ｃに軸２９０ａで軸支され、引き抜きローラ２７０に従動して回転する。
【００１５】
次に上記収納庫１６０の紙幣の搬送動作について説明する。
図１０及び図１１は収納庫で行われる紙幣の搬送を説明するための側面図である。
収納庫１６０は非動作時の状態（図９）において、上位機種から紙幣の搬出命令に応じて、所定の動作を開始する。
【００１６】
まず、紙幣ＢＮが載置されたステージ２１０が第１搬送ガイド２００ｂ側に接近して、紙幣ＢＮの最上面がキックローラ２４０及び補助キックローラ２３０のそれぞれの外周面に圧接される。なお、紙幣搬出時には押え部材２８０は第１搬送ガイド２００ｂ側に退避している（図１０）。
【００１７】
次に、キックローラ２４０及び補助キックローラ２３０が図１１中反時計回り（矢印方向）に回転して、各ローラに圧接していた紙幣ＢＮが搬送路１３０側の搬送方向に摩擦力を受けて搬送される。収納部２００に複数枚の紙幣ＢＮが集積収納されているときには、通常、一部の複数枚の紙幣ＢＮがそれらの間に生じる摩擦等により、束になって一緒に搬送される。また、搬送ローラ２５０は阻止ローラ２６０により図１１中矢印Ｚ方向に加圧されている。このため、束になって繰り出された複数枚の紙幣ＢＮは、図１１に示すように、回転する搬送ローラ２５０と停止した阻止ローラ２６０との間を通過するときに、最上面の紙幣ＢＮａが１枚に分離され、引き抜きローラ２７０及び従動ローラ２９０によって搬送路１３０へと搬送される。
【００１８】
また、収納庫１６０への紙幣の収納時は、入金口１１０から投入され、鑑別部１４０及び金種判別部１５０において鑑別及び判別された紙幣は判別された金種に対応する収納庫１６０に搬送される。なお、この場合、紙幣ＢＮが載置されたステージ２１０は第１搬送ガイド２００ｂから退避して収納される紙幣の収納スペースを確保する。また、押え部材２８０は、図９に示したような、所定の位置に配置している
搬送路１３０を搬送された紙幣は、引き抜きローラ２７０及び従動ローラ２９０の図１１中反時計回り及び時計回り方向への回転により収納部２００に搬入される。この時、紙幣は、押え部材２８０を跳ね上げて、側板２００ａ側に突入して、押え部材２８０の自重によって紙幣がステージ２１０側に押えられて収納部２００に収納される。
【特許文献１】特開２００７−１１２６０１号公報
【発明の開示】
【発明が解決しようとする課題】
【００１９】
上記の搬出動作では、束になって繰り出された複数枚の紙幣を１枚に分離して搬送するためには、搬送ローラ２５０に対して阻止ローラ２６０から圧力により搬入方向への大きな摩擦力を加えることが必要である。したがって、搬送ローラ２５０を回転駆動させる駆動機構への阻止ローラ２６０からの摩擦力による負荷が大きくなる。
【００２０】
そこで、搬送ローラ２５０を回転駆動させるためには駆動機構の大型化が必要となる。
しかし、駆動機構が大型化すると、紙幣処理装置及びこの紙幣処理装置を備える金銭処理機も大型化してしまい、装置の小型化を進められないという問題点があった。
【００２１】
本発明はこのような点に鑑みてなされたものであり、駆動機構への負荷を低減した紙幣処理装置、及びこのような紙幣処理装置を備えた金銭処理機を提供することを目的とする。
【課題を解決するための手段】
【００２２】
上記目的を達成するために、紙幣の搬入及び搬出を行う紙幣処理装置が提供される。
この紙幣処理装置は、前記紙幣が収納される収納部と、前記収納部内に収納された前記紙幣を前記紙幣の主面に対して垂直方向に移動させる押圧手段と、前記押圧手段に対して、収納された前記紙幣の反対側に配置され、移動した前記押圧手段により前記主面が押圧された前記紙幣を、回転して所定の搬送方向に搬送する第１ローラと、前記第１ローラの配置位置から前記搬送方向に離間して配置され、前記第１ローラにより前記紙幣が搬送されている状態で、前記第１ローラの回転に対して逆回転して前記紙幣を跳ね上げて１枚に分離して、さらに、１枚に分離された前記紙幣を、前記主面の反対側の裏面を摩擦して搬送する第２ローラと、を有する。
【００２３】
また、上記目的を達成するために、紙幣の入金及び出金を行う紙幣処理装置を備えた金銭処理機が提供される。
この金銭処理機は、前記紙幣が収納される収納部と、前記収納部内に収納された前記紙幣を前記紙幣の主面に対して垂直方向に移動させる押圧手段と、前記押圧手段に対して、収納された前記紙幣の反対側に配置され、移動した前記押圧手段により前記主面が押圧された前記紙幣を、回転して所定の搬送方向に搬送する第１ローラと、前記第１ローラの配置位置から前記搬送方向に離間して配置され、前記第１ローラにより前記紙幣が搬送されている状態で、前記第１ローラの回転に対して逆回転して前記紙幣を跳ね上げて１枚に分離して、さらに、１枚に分離された前記紙幣を、前記主面の反対側の裏面を摩擦して搬送する第２ローラと、を有する紙幣処理装置を備える。
【００２４】
このような紙幣処理装置及び金銭処理機では、第１ローラによって、紙幣が所定の搬送方向に搬送されて、第１ローラにより紙幣が搬送されている状態で、第２ローラによって、第１ローラの回転に対して逆回転して紙幣が跳ね上げられて１枚に分離され、さらに、１枚に分離された紙幣が、主面の反対側の裏面が摩擦されて搬送される。
【発明の効果】
【００２５】
上記紙幣処理装置及び紙幣処理装置を備えた金銭処理機では、駆動機構への負荷が低減される。
【発明を実施するための最良の形態】
【００２６】
以下、本発明の実施の形態について、図面を参照しながら説明する。
図１は紙幣処理装置の概略構成図である。
紙幣処理装置１０は、紙幣が投入される入金口１１、釣銭紙幣等を払い出す出金口１２、及び入・出金紙幣が搬送される搬送路１３を備えている。この搬送路１３の途中には、搬送路１３内に進退する振り分けゲート１８ａ、投入された紙幣の真偽を鑑別する鑑別部１４、及び紙幣の金種を判別する金種判別部１５が配置されている。さらに、搬送路１３の途中には、搬送路１３内に進退して搬送紙幣を所定の収納庫１６に振り分ける振り分けゲート１８ｂ，１８ｃ，１８ｄが配置されている。また、搬送路１３を搬送される紙幣の通過、収納庫１６からの紙幣の搬出及び収納を検知するため、要所に複数のセンサ１９が配置されている。
【００２７】
この紙幣処理装置１０には、収納庫１６として、例えば、千円紙幣のみが収納される千円収納庫１６ａ、千円紙幣以外の紙幣（二千円紙幣、五千円紙幣、一万円紙幣）が収納される混合収納庫１６ｂ、及びその混合収納庫１６ｂの五千円紙幣を釣銭として払い出せるように二千円紙幣と一万円紙幣を移送する或いは釣銭として払い出す千円紙幣や五千円紙幣の精査を行うための精査庫１６ｃが配置されている。なお、この他、混合収納庫１６ｂの位置に、五千円紙幣のみが収納される五千円収納庫を配置し、精査庫１６ｃの位置に、投入された二千円紙幣及び一万円紙幣を収納する混合収納庫を配置する構成とすることもできる。
【００２８】
また、紙幣処理装置１０の入・出金口１１，１２側には、収納庫１６に収納された紙幣が移送されて回収される回収庫１７が配置されている。
このような紙幣処理装置１０において、入金口１１に投入された紙幣は、搬送路１３を搬送され、まず鑑別部１４でその真偽が鑑別される。鑑別部１４で真札と鑑別された紙幣は、さらに奥へと搬送され、また、偽札と鑑別された紙幣は、逆方向に搬送されて、振り分けゲート１８ａが搬送路１３内に進入することによって出金口１２側に振り分けられ、出金口１２へと戻される。真札と鑑別された紙幣は、続いて金種判別部１５でその金種が判別される。
【００２９】
上記のように収納庫１６として千円収納庫１６ａ、混合収納庫１６ｂ及び精査庫１６ｃを配置した場合、金種判別部１５で千円紙幣と判別された紙幣は、振り分けゲート１８ｄが搬送路１３内に進入することによって振り分けられ、千円収納庫１６ａに収納される。判別結果が千円紙幣以外の紙幣である場合には、その紙幣は、さらに搬送路１３を搬送されて、混合収納庫１６ｂに収納される。混合収納庫１６ｂに収納された紙幣のうち、釣銭として使用しない、例えば二千円紙幣及び一万円紙幣は、適当なタイミングで精査庫１６ｃに移送される。この場合、混合収納庫１６ｂから搬出された紙幣は、搬送路１３を入金時と逆方向に搬送され、振り分けゲート１８ｃが搬送路１３内に進入することによって振り分けられて、精査庫１６ｃに収納される。
【００３０】
上記機種からの指令等により、釣銭の払い出しが必要になった場合には、所定金額の千円紙幣或いは五千円紙幣がそれぞれ千円収納庫１６ａ又は混合収納庫１６ｂから搬出され、搬送路１３を入金時と逆方向に搬送される。そして、振り分けゲート１８ａが搬送路１３に進入することによって出金口１２側に振り分けられ、出金口１２から払い出される。
【００３１】
千円収納庫１６ａ、混合収納庫１６ｂ及び精査庫１６ｃに収納されている紙幣は、必要に応じて回収庫１７に移送され、回収される。千円収納庫１６ａ、混合収納庫１６ｂ及び精査庫１６ｃから搬出された紙幣は、搬送路１３を入金時と逆方向に搬送され、振り分けゲート１８ｂが搬送路１３内に進入することによって回収庫１７側に振り分けられ、回収庫１７に移送される。なお、精査庫１６ｃの紙幣は、例えば、搬送路１３への搬出後に混合収納庫１６ｂ側に搬送させて一旦停止させ、そこから回収庫１７側に搬送させたり、或いは一旦混合収納庫１６ｂに移送した後に回収庫１７に移送したりすることができる。
【００３２】
なお、混合収納庫１６ｂの位置に五千円収納庫を配置し、精査庫１６ｃの位置に二千円紙幣及び一万円紙幣を収納する混合収納庫を配置した場合には、金種判別部１５での判別結果に応じ、五千円紙幣はさらに搬送されて五千円収納庫に収納され、二千円紙幣及び一万円紙幣は入金時と逆方向に搬送されて混合収納庫に収納されることになる。釣銭の払い出し時には、千円紙幣及び五千円紙幣を収納している収納庫１６からそれぞれ、所定金額分の紙幣が搬出され、出金口１２から払い出される。
【００３３】
このような構成を有する紙幣処理装置１０が、硬貨の入・出金処理を行う硬貨処理装置等とともに搭載されて、ＰＯＳ（Point Of Sales）等の上位機種に接続される金銭処理機が構成される。
【００３４】
次に、上記構成を有する紙幣処理装置１０の収納庫１６について説明する。
図２は実施の形態に係る非動作時の収納庫の概略側面図である。
収納庫１６は、複数の紙幣ＢＮを集積して収納可能な、搬送路１３と連通して接続された収納部２０、及び紙幣のガイド部材である第１，第２搬送ガイド２０ｂ，２０ｃを有している。なお、収納部２０は側板２０ａ及び第１，第２搬送ガイド２０ｂ，２０ｃに囲まれている。
【００３５】
第１搬送ガイド２０ｂは、収納部２０及び第２搬送ガイド２０ｃの図中上方に配置されている。なお、第１，第２搬送ガイド２０ｂ，２０ｃで、収納部２０に通じる搬送路１３が構成されている。また、第１搬送ガイド２０ｂには、側板２０ａ側から搬送路１３側までの間に、収納部２０に対して凸状の曲率を有するガイド面２２が形成されている。このため、ガイド面２２の図中下方には空間２２ａが構成されている。
【００３６】
第１搬送ガイド２０ｂには、収納部２０に収納され、後述するステージ２１に押圧された紙幣ＢＮを、搬送路１３側へ搬送する一対のキックローラ２３が配置されている。これら一対のキックローラ２３は、軸２３ａに軸支されて回転可能に構成され、例えば、通常の搬送動作で紙幣にスキューを発生させたり破損させたりしないような適切な一定の間隔で配置されるように設計される。また、一対のキックローラ２３の外周面には、ゴム等の高摩擦部材２３ｂが配置されている。
【００３７】
一対のキックローラ２３の配置位置から紙幣の搬送路１３側への搬送方向に離間して、第１搬送ガイド２０ｂのガイド面２２の下部の空間２２ａには、紙幣の収納部２０側への搬送方向に回転して、一対のキックローラ２３によって搬送された紙幣を跳ね上げる一対の捲りローラ２４が設けられている。これら一対の捲りローラ２４は、軸２４ａに軸支されて回転可能に構成され、例えば、通常の捲り動作で紙幣にスキューを発生させたり破損させたりしないような適切な一定の間隔で配置されるように設計される。また、一対の捲りローラ２４の外周面の一部には、ゴム等の高摩擦部材２４ｂが配置されている。さらに、これら一対の捲りローラ２４は、後述する第１従動ローラ２５とともに、跳ね上げた紙幣をガイド面２２に沿って搬送路１３側へ搬送する。なお、第１従動ローラ２５は、軸２５ａに軸支されて回転可能に構成されている。
【００３８】
第１搬送ガイド２０ｂのガイド面２２の斜面には、外周面の一部を空間２２ａ側に露出し、一対の捲りローラ２４に周接して、捲りローラ２４に従動して回転する一対の第１従動ローラ２５が配置されている。これら一対の第１従動ローラ２５は捲りローラ２４とともに、跳ね上げられた紙幣をガイド面２２に沿って搬送路１３側へ搬送する。
【００３９】
第１搬送ガイド２０ｂには、外周面の一部を搬送路１３側に露出して、ガイド面２２に沿って搬送された紙幣を引き続き搬送する一対の搬送ローラ２６が配置されている。これら一対の搬送ローラ２６は、軸２６ａに軸支されて回転可能に構成され、例えば、通常の搬送動作で紙幣にスキューを発生させたり破損させたりしないような適切な一定の間隔で配置されるように設計される。また、これら一対の搬送ローラ２６は、入金口１１から投入されて搬送された紙幣を収納部２０内に搬入する。
【００４０】
第２搬送ガイド２０ｃには、軸２７ａに軸支され、外周面の一部を搬送路１３側に露出し、一対の搬送ローラ２６に周接し、搬送ローラ２６に従動して回転する一対の第２従動ローラ２７は配置されている。これら一対の第２従動ローラ２７は搬送ローラ２６とともに、ガイド面２２に沿って搬送された紙幣を引き続き搬送する。また、第２従動ローラ２７は搬送ローラ２６とともに、入金口１１から投入されて搬送された紙幣を収納部２０内に搬入する。
【００４１】
なお、上記のキックローラ２３、捲りローラ２４及び搬送ローラ２６にはそれぞれ駆動機構（図示を省略）が接続されており、駆動機構は各ローラを所定の方向に、所定の速さで回転させる。
【００４２】
第１搬送ガイド２０ｂの対向位置で収納部２０内には、紙幣ＢＮが載置されるステージ２１が配置されている。ステージ２１は、ステージ２１の下部に配置された、例えばパンダグラフ（図示を省略）により第１搬送ガイド２０ｂに対して接近・退避させられる。
【００４３】
また、第１搬送ガイド２０ｂには押え部材２８が揺動自在に配置されている。押え部材２８は、自重によりステージ２１上の紙幣ＢＮの最上面をステージ２１側に押える。
このような構成を有する収納庫１６における紙幣搬出及び収納動作についてそれぞれ説明する。
【００４４】
まず、収納庫１６からの紙幣の搬出動作について説明する。
図３〜図６は、紙幣搬出時の収納庫の概略側面図である。なお、図４〜図６では、押え部材２８は第１搬送ガイド２０ｂ側に退避したままであって、その記載については省略している。
【００４５】
収納庫１６から搬送路１３への紙幣ＢＮの搬出時には、紙幣ＢＮがステージ２１を介してパンタグラフ（図示を省略）によって押圧されて、紙幣ＢＮの最上面の紙幣ＢＮａがキックローラ２３及び捲りローラ２４の外周面に圧接される。なお、捲りローラ２４は紙幣ＢＮａの搬出方向側の先端部に圧接されることが望ましい。また、紙幣搬出時には、押え部材２８は予め第１搬送ガイド２０ｂ側に退避している（図３）。
【００４６】
この状態で、キックローラ２３が図４中反時計回り方向（矢印方向）に回転するとともに、捲りローラ２４が図４中時計回り方向（矢印方向）に回転する。なお、捲りローラ２４とともに第１従動ローラ２５も図４中反時計回り方向（矢印方向）に回転する。すると、紙幣ＢＮａはキックローラ２３と捲りローラ２４との間のガイド面２２の下部の空間２２ａで膨らむ（図４）。なお、キックローラ２３は外周全面に高摩擦部材２３ｂが配置されており、一方、捲りローラ２４は外周面の一部に高摩擦部材２４ｂが配置されている。このため、キックローラ２３による紙幣ＢＮａの移動量は捲りローラ２４による移動量よりも多く、紙幣ＢＮａは左右対称に膨らまず、膨らんだ紙幣ＢＮａのキックローラ２３側は、図４に示すように、ガイド面２２の斜面に沿った形状となる。なお、移動量とは、各種ローラが一回りした際に摩擦力を受けて移動する紙幣ＢＮａの移動量を意味する。したがって、捲りローラ２４は、その外周全面に高摩擦部材を配置する場合には、間欠回転させることにより上記と同様の効果が得られる。
【００４７】
このようにして膨らんだ紙幣ＢＮａは、キックローラ２３の回転により搬送路１３側に搬送されながら、捲りローラ２４の回転により搬出方向の先端部が跳ね上がり１枚に分離される。跳ね上がった紙幣ＢＮａは、キックローラ２３からの摩擦力が加わり、搬出方向の先端部から捲りローラ２４と第１従動ローラ２５との間に突入する（図５）。なお、紙幣ＢＮａを確実に跳ね上げて１枚に分離させるためには、ステージ２１に押圧された紙幣の搬送路１３側の先端部と圧接される位置に捲りローラ２４を配置することが望ましい。
【００４８】
紙幣ＢＮａはキックローラ２３、捲りローラ２４及び第１従動ローラ２５の回転によってガイド面２２に沿って搬送されて搬送路１３に案内される。紙幣ＢＮａは搬送ローラ２６及び第２従動ローラ２７の図６中反時計回り及び時計回り方向（それぞれ矢印方向）へのそれぞれの回転により搬送路１３を搬送されて、例えば、出金口１２から外部へ出金される（図６）。
【００４９】
次に、収納庫１６への紙幣の収納について説明する。
図７は、紙幣収納時の収納庫の概略側面図である。
入金口１１から投入された場合、又は他の収納庫１６から移送された場合等の紙幣ＢＮは収納庫１６に収納される。なお、この場合、紙幣ＢＮが載置されたステージ２１は第１搬送ガイド２０ｂから退避して、この状態を維持することで、収納される紙幣ＢＮの収納スペースを確保する。
【００５０】
搬送路１３を搬送された紙幣ＢＮａは、搬送ローラ２６及び第２従動ローラ２７の図７中時計回り及び反時計回り方向（それぞれ矢印方向）へのそれぞれの回転により収納部２０に搬入される。この時、紙幣ＢＮａは捲りローラ２４とステージ２１上の紙幣ＢＮとの間を通り、押え部材２８を跳ね上げて、側板２０ａ側に突入する。このようにして突入した紙幣ＢＮａは押え部材２８の自重によって紙幣ＢＮａがステージ２１側に押えられて収納部２０に収納される。
【００５１】
以上、紙幣処理装置１０によって紙幣ＢＮａの搬出及び収納が行われる。
このような紙幣ＢＮａの搬出動作では、キックローラ２３の搬出方向への回転によって紙幣ＢＮａを搬送しながら、捲りローラ２４の搬入方向への回転によって紙幣ＢＮａを跳ね上げて１枚に分離できる。１枚に分離された紙幣ＢＮａは、キックローラ２３、捲りローラ２４及び第１従動ローラ２５によりガイド面２２に沿って搬送路１３に案内されて、搬送ローラ２６及び第２従動ローラ２７により搬送路１３を搬送させられる。
【００５２】
また、このような紙幣ＢＮａの収納動作では、紙幣ＢＮａを搬送ローラ２６及び第２従動ローラ２７の回転により搬入して、捲りローラ２４とステージ２１との間を通過させて、収納部２０に収納させる。
【００５３】
したがって、上記収納庫１６では、各ローラを回転させる駆動機構に対して負荷を与えずに紙幣を１枚に分離することができる。このため、駆動機構を小型化でき、また駆動機構の消費電極を抑制できる。例えば、上記紙幣処理装置１０では、紙幣処理装置１００と比較して４５％程度小型化できる。
【００５４】
なお、上記紙幣処理装置では、紙幣に限定せず、有価証券、小切手等の紙葉類を適用させても構わない。
【図面の簡単な説明】
【００５５】
【図１】紙幣処理装置の概略構成図である。
【図２】実施の形態に係る非動作時の収納庫の概略側面図である。
【図３】紙幣搬出時の収納庫の概略側面図（その１）である。
【図４】紙幣搬出時の収納庫の概略側面図（その２）である。
【図５】紙幣搬出時の収納庫の概略側面図（その３）である。
【図６】紙幣搬出時の収納庫の概略側面図（その４）である。
【図７】紙幣収納時の収納庫の概略側面図である。
【図８】紙幣処理装置の概念図である。
【図９】非動作時の収納庫を説明するための側面図である。
【図１０】収納庫で行われる紙幣の搬送を説明するための側面図（その１）である。
【図１１】収納庫で行われる紙幣の搬送を説明するための側面図（その２）である。
【符号の説明】
【００５６】
１０  紙幣処理装置
１１  入金口
１２  出金口
１３  搬送路
１４  鑑別部
１５  金種判別部
１６  収納庫
１６ａ  千円収納庫
１６ｂ  混合収納庫
１６ｃ  精査庫
１７  回収庫
１８ａ，１８ｂ，１８ｃ，１８ｄ  振り分けゲート
１９  センサ
２０  収納部
２０ａ  側板
２０ｂ  第１搬送ガイド
２０ｃ  第２搬送ガイド
２１  ステージ
２２  ガイド面
２２ａ  空間
２３  キックローラ
２３ａ，２４ａ，２５ａ，２６ａ，２７ａ  軸
２３ｂ，２４ｂ  高摩擦部材
２４  捲りローラ
２５  第１従動ローラ
２６  搬送ローラ
２７  第２従動ローラ
２８  押え部材
【図１】
2010100410.tif 000003
【図２】
2010100410.tif 000004
【図３】
2010100410.tif 000005
【図４】
2010100410.tif 000006
【図５】
2010100410.tif 000007
【図６】
2010100410.tif 000008
【図７】
2010100410.tif 000009
【図８】
2010100410.tif 000010
【図９】
2010100410.tif 000011
【図１０】
2010100410.tif 000012
【図１１】
2010100410.tif 000013